(57)【要約】無線基地局の１つ以上のセクタで同時に２つ以上の逆方向リンク・レート制御器の使用を可能とするＭＡＣ論理を提供する本装置と方法。これは、移動局にその必要に最も適した逆方向リンク・レート制御の型式を割当てつつ、基地局に逆方向リンク・レート制御を介して逆方向リンク・ローディングを制御可能とする。例えば、基地局ＭＡＣ論理は、セクタ単位レート制御指令を発生する共通レート制御器と、ユーザー単位レート制御指令を発生する専用レート制御器との両方を実装し、相対的にゆるい逆方向リンク・サービス要求を有する移動局には共通レート制御器を割当て、一方よりきつい逆方向リンク・サービス要求を有する移動局は専用レート制御を割当てる。２つ以上のレート制御を実装可能であり、例示の選択は、任意の組合せでユーザー単位、セクタ単位、群単位、及びスケジュールされたレート制御が含まれる。
2006515736.tif 000002
【特許請求の範囲】
【請求項１】
無線基地局（ＲＢＳ）を含む無線通信システムにおいて、前記ＲＢＳは、
複数個の移動局と通信する１つ以上の無線通信チャネルを提供する物理層リソースと、
物理層リソースの割当てを制御する媒体アクセス制御（ＭＡＣ）論理と、を含み
前記ＭＡＣ論理は２つ以上の逆方向リンク・レート制御器を含み、各レート制御器はＲＢＳによりサポートされている１つ以上の移動局に対して異なる逆方向リンク・レート制御機構を提供するよう構成されている、
無線通信システム。
【請求項２】
請求項１記載のシステムにおいて、
２つ以上のレート制御器は以下のレート制御器の群：
セクタ単位逆方向リンク・レート制御指令を与えるように構成されたセクタ単位レート制御器と、ユーザー単位逆方向リンク・レート制御指令を与えるように構成されたユーザー単位レート制御器と、群単位逆方向リンク・レート制御指令を与えるように構成された群単位レート制御器と、１つ以上の移動局にスケジュールされた逆方向リンク・レート制御指令を与えるように構成されたスケジュール・レート制御器、
のうちの２つ以上のレート制御器を含むシステム。
【請求項３】
請求項１記載のシステムにおいて、
２つ以上のレート制御器は、セクタ単位逆方向リンク・レート制御指令を発生するように構成されたセクタ単位レート制御器と、群単位逆方向リンク・レート制御指令を発生するように構成された１つ以上の群単位レート制御器と、ユーザー単位逆方向リンク・レート制御指令を発生するように構成されたユーザー単位レート制御器と、１つ以上の移動局にスケジュールされた逆方向リンク・レートを発生するように構成されたスケジュール・レート制御器と、を含むシステム。
【請求項４】
請求項１記載のシステムにおいて、
２つ以上のレート制御器は、群単位逆方向リンク・レート制御指令を発生するように構成された１つ以上の群単位レート制御器と、セクタ単位逆方向リンク・レート制御指令を発生するように構成された１つ以上のセクタ単位レート制御器と、移動機単位逆方向リンク・レート制御指令を発生するように構成されたユーザー単位レート制御器と、１つ以上の移動局にスケジュールされた逆方向リンク・レートを発生するように構成されたスケジュール・レート制御器と、を含むシステム。
【請求項５】
請求項１記載のシステムにおいて、
２つ以上のレート制御器は、ユーザー単位逆方向リンク・レート制御指令を発生するように構成されたユーザー単位レート制御器と、セクタ単位逆方向リンク・レート制御指令を発生するように構成された１つ以上のセクタ単位レート制御器と、群単位逆方向リンク・レート制御指令を発生するように構成された群単位レート制御器と１つ以上の移動局にスケジュールされた逆方向リンク・レートを発生するように構成されたスケジュール・レート制御器と、を含むシステム。
【請求項６】
請求項１記載のシステムにおいて、
２つ以上のレート制御器は、セクタ単位レート制御器と、群単位レート制御器と、ユーザー単位レート制御器とを含む３つのレート制御器を含み、ＭＡＣ論理は３つのレート制御器を同時に実行して、ＲＢＳによりサポートされている異なる移動局または移動局の群に３つの異なるレート制御機構を提供するよう構成されているシステム。
【請求項７】
請求項１記載のシステムにおいて、
ＭＡＣ論理は２つ以上のレート制御器の少なくとも１つからのレート制御指令を共通電力制御チャネル上で多重化するよう構成されているシステム。
【請求項８】
請求項１記載のシステムにおいて、物理層リソースは１つ以上のサブチャネルを共通電力制御チャネル上に設けるように構成され、ＭＡＣ論理は２つ以上のレート制御器からの制御指令を１つ以上のサブチャネル上で送信するよう構成されているシステム。
【請求項９】
請求項１記載のシステムにおいて、
各移動局に１つ以上のレート制御器を選択的に割当てるよう構成された基地局制御論理をさらに含む、システム。
【請求項１０】
請求項９記載のシステムにおいて、
基地局制御論理は、移動局がＭＡＣ論理の２つの異なるレート制御器からレート制御指令を受信するように、特定の移動局に２つ以上のレート制御器の２つを割当てるよう構成されるシステム。
【請求項１１】
請求項１０記載のシステムにおいて、
２つのレート制御器の最初のものは、セクタ単位レート制御器、群単位レート制御器、ユーザー単位レート制御器の内の１つを含み、２つのレート制御器の第２のものは群単位レート制御器、セクタ単位レート制御器、及びユーザー単位レート制御器の内の１つを含む、システム。
【請求項１２】
請求項９記載のシステムにおいて、
基地局制御論理は、移動局のアプリケーション型式を基に個々の移動局へ１つ以上のレート制御器を割当てるよう構成されているシステム。
【請求項１３】
請求項９記載のシステムにおいて、
基地局制御論理は、移動局の変化するアプリケーション型式を基に進行しているサービス時にどのレート制御器が特定の移動局に割当てられているかを変更するよう構成されているシステム。
【請求項１４】
請求項９記載のシステムにおいて、基地局制御論理を含む基地局制御器（ＢＳＣ）をさらに含む、システム。
【請求項１５】
請求項９記載のシステムにおいて、基地局制御論理は呼設定時に移動局に１つ以上のレート制御器を割当てるよう構成されているシステム。
【請求項１６】
無線通信網基地局システムでの逆方向リンク制御の方法において、
２つ以上の逆方向リンク・レート制御器を設ける段階であって、各レート制御器は他のレート制御器により発生される指令とは異なる逆方向リンク・レート制御指令を発生するよう構成されている前記設ける段階と、
個々の移動局に少なくとも１つのレート制御器を選択的に関係付ける段階と、
１つ以上のレート制御器を使用して逆方向リンク・レート制御指令を発生し、この指令を関係する移動局へ送信する段階と、
を含む、無線通信網基地局システムでの逆方向リンク制御の方法。
【請求項１７】
請求項１６記載の方法において、
２つ以上のレート制御器を設ける段階は、基地局システムに含まれる無線基地局の各無線セクタに２つ以上のレート制御器を実装する制御論理を設ける段階を含む、方法。
【請求項１８】
請求項１７記載の方法において、
基地局システムに含まれる無線基地局の各無線セクタに２つ以上のレート制御器を実装する制御論理を設ける段階は、無線基地局に媒体アクセス制御（ＭＡＣ）論理を設ける段階を含み、ＭＡＣ論理は無線基地局の各無線セクタで２つ以上のレート制御器を実装するよう機能的に構成されている、方法。
【請求項１９】
請求項１７記載の方法において、
基地局システムに含まれる無線基地局の各無線セクタに２つ以上のレート制御器を実装する制御論理を設ける段階は、基地局システムに含まれる基地局制御器に基地局制御論理を設ける段階を含み、基地局制御論理は無線基地局の各無線セクタで２つ以上のレート制御器を実装するよう機能的に構成されている、方法。
【請求項２０】
請求項１６記載の方法において、
個々の移動局に少なくとも１つのレート制御器を選択的に関係付ける段階は、個々の移動局の１つ以上のサービス要求を基に呼認可時に個々の移動局へのレート制御器関係付けを決定する段階を含む、方法。
【請求項２１】
請求項２０記載の方法において、
個々の移動局に少なくとも１つのレート制御器を選択的に関係付ける段階は、個々の移動局の変化するサービス要求を基に呼認可後に個々の移動局のレート制御器関連付けを動的に変更する段階をさらに含む、方法。
【請求項２２】
請求項２０記載の方法において、
個々の移動局に少なくとも１つのレート制御器を選択的に関係付ける段階は、個々の移動局の変化するサービス要求を基に呼認可後に個々の移動局のレート制御器関連付けを動的に変更することにより逆方向リンク輻輳を制御する段階をさらに含む、方法。
【請求項２３】
請求項１６記載の方法において、
個々の移動局に少なくとも１つのレート制御器を選択的に関係付ける段階は、移動局の逆方向リンク・レート制御が基本及び補助レート制御器により送信されるレート制御指令の所要の組合せ関係を基に実行されるように、少なくとも１つの移動局にレート制御器の第１のものを関係付けて移動局の基本レート制御器として動作させ、レート制御器の第２のものを関係付けて移動局の補助レート制御器として動作させる段階を含む、方法。
【請求項２４】
請求項１６記載の方法において、
２つ以上の逆方向リンク・レート制御器を設ける段階は、基地局システムの特定の無線セクタに対して、セクタ単位レート制御器、群単位レート制御器、ユーザー単位専用レート制御器、及びスケジュール・レート制御器を含む群から選択された少なくとも２つのレート制御器を設ける段階を含む、方法。
【請求項２５】
請求項１６記載の方法において、
２つ以上の逆方向リンク・レート制御器を設ける段階は、基地局システムの特定の無線セクタに対して、少なくとも１つの群単位レート制御器を設けて関係する移動局の群に共通レート制御指令を発生する段階と、無線セクタに共通レート制御指令を発生するセクタ単位レート制御器と、関係する移動局に専用レート制御指令を発生するユーザー単位レート制御器と、関係する移動局にスケジュールされたレート制御指令を発生するスケジュール・レート制御器とを含む少なくとも１つの他のレート制御器を設ける段階とを含む、方法。
【請求項２６】
請求項１６記載の方法において、
２つ以上の逆方向リンク・レート制御器を設ける段階は、基地局システムの特定の無線セクタに対して、少なくとも１つのセクタ単位レート制御器を設けて関係する移動局に共通レート制御指令を発生する段階と、関係する移動局に共通レート制御指令を発生する群単位レート制御器と、関係する移動局に専用レート制御指令を発生するユーザー単位レート制御器と、または関係する移動局にスケジュールされたレート制御指令を発生するスケジュール・レート制御器とを含む少なくとも１つの他のレート制御器を設ける段階とを含む、方法。
【請求項２７】
請求項１６記載の方法において、
２つ以上の逆方向リンク・レート制御器を設ける段階は、基地局システムの特定の無線セクタに対して、少なくとも１つのユーザー単位レート制御器を設けて関係する移動局に専用レート制御指令を発生する段階と、関係する移動局に共通レート制御指令を発生するセクタ単位レート制御器と、関係する移動局に共通レート制御指令を発生する群単位レート制御器と、関係する移動局にスケジュールされたレート制御指令を発生するスケジュール・レート制御器とを含む少なくとも１つの他のレート制御器を設ける段階とを含む、方法。
【発明の詳細な説明】
【技術分野】
【０００１】
（関連出願）
本願は３５Ｕ．Ｓ．Ｃ．§１１９（ｅ）のもとで以下の仮出願から優先権を請求する：２００３年１月１０日提出の出願一連番号第６０／４３９、１２６号、２００３年７月１４日提出の出願一連番号第６０／４８６、９３８号、２００３年８月１２日提出の出願一連番号第６０／４９４、６８５号。これらの出願は本明細書での引用により完全に包含される。
【背景技術】
【０００２】
ｃｄｍａ２０００無線網のＩＳ−２０００標準の今度のリリースＤのような、発展している無線標準は、無線アプリケーションと対応するサービス品質の範囲に対してますます高データレートを提供しつつ、ますます精妙なネットワーク・エンティティの使用を考慮して性能と信頼性を増強している。例えば、基地局、例えば基地局システム（ＢＳＳ）、無線基地局（ＲＢＳ）等は、限定された順方向及び逆方向リンク・リソースの効率的な使用を保持しつつ、音声とデータ・ユーザーをサポートすることを必要とし、広範囲の順方向及び逆方向リンク・パケットデータとサービス品質（ＱｏＳ）をサポートすることが期待されている。
【発明の開示】
【発明が解決しようとする課題】
【０００３】
本発明は無線通信網の異なる移動局に異なるレート制御機構を提供する方法と装置を含む。１例示実施例では、無線基地局は、２つ以上のレート制御器を備える一般化媒体アクセス制御（ＭＡＣ）を含む。例えば、ＭＡＣは、個々の移動局に専用レート制御指令を発生するユーザー単位レート制御器を同時に提供しつつ、全体のセクタ逆方向リンク・ローディングを基に共通レート制御指令を発生するセクタ単位レート制御器を提供する。関係する制御論理は、１つ以上の移動局にセクタ単位レート制御器を割当てつつ、かつ１つ以上の移動局にユーザー単位レート制御を割当てる。さらに、特定の移動局の逆方向リンク・レート制御挙動が２つ以上のレート制御機構により支配されるまたは影響されるように、特定の移動局に基本及び補助レート制御が割当て可能である。
【課題を解決するための手段】
【０００４】
従って、例示実施例では、無線通信システムは、複数個の移動局と通信する１つ以上の無線通信チャネルを提供する物理層リソースと、物理層リソースの割当てを制御する媒体アクセス制御（ＭＡＣ）論理部とを含む無線基地局（ＲＢＳ）を含み、ＭＡＣ論理部は２つ以上の逆方向リンク・レート制御器を含み、各々のレート制御器はＲＢＳによりサポートされる１つ以上の移動局の異なる逆方向リンク・レート制御機構を提供するように構成される。２つ以上のレート制御器は２つ以上の以下のレート制御器の群を含む：セクタ単位ベースで共通レート制御指令を与えるように構成されたセクタ単位レート制御器、移動機単位ベースで専用レート制御指令を与えるように構成されたユーザー単位レート制御器、移動局の群に共通レート制御指令を与えるように構成された群単位レート制御器、１つ以上の移動局にスケジュールされた逆方向リンク・レートを与えるよう構成されたスケジュール・レート制御器。
【０００５】
ＭＡＣ論理は、個々の移動局にＭＡＣ論理部の１つ以上の利用可能なレート制御器を割当てる例示制御論理を含む、またはこれと関係する。例えば、基地局制御論理は、移動局の1つ以上のサービス要求を基に、例えば移動局が関係しているアプリケーション型式を基に、呼認可時に利用可能なＭＡＣレート制御器の内の特定のものまたは複数の特定のものを特定の移動局に割当てる。このようにして、個々の移動局は、その特定の必要性、例えば所要データレート、ＱｏＳ制約等に最も充足するレート制御論理を割当てられる。例示のＭＡＣ論理と関連制御論理は、変化する移動局のサービス要求に応答して個々の移動局のレート制御器割当てを動的に変更するよう構成可能であることに注意されたい。
【０００６】
もちろん、上記制御フレームワークを充足して、移動局は複数レート制御器の利用可能性を開発するよう構成されてもよい。例えば、特定の移動局がユーザー単位のレート制御器に割当てられているが、さらに、群単位またはセクタ単位のレート制御器により送信されているレート送信指令を聴取してもよい。このように、セクタ単位のレート制御器指令を基に受信しているユーザー単位のレート制御指令に如何に応答するかを変更してもよい。例示移動局はレート制御指令の異なる型式のその他の混合に応答するよう構成されてもよい。
【０００７】
概括すると、本発明は２つ以上の逆方向リンク・レート制御器を提供することを基にした無線通信網基地局の逆方向リンク制御の方法を含み、各レート制御器は他のレート制御器により発生された指令とは異なる逆方向リンク・レート制御指令を発生するよう構成され、個々の移動局に少なくとも１つのレート制御器を選択的に関係付け、１つ以上のレート制御器を使用して逆方向リンク・レート制御指令を発生し、指令を関係する移動局に送信する。レート制御器は基地局制御器論理、無線基地局論理、またはその何らかの組合せに実装可能である。
【０００８】
とにかく、例示基地局システムは、基地局システムの特定の無線セクタで利用可能なレート制御器の異なるものと関係する異なる移動局に異なる逆方向リンク・レート制御指令を発生する２つ以上のレート制御器を設けるよう構成されることが望ましい。特定の無線セクタで利用可能なレート制御器は異なる型式、例えばユーザー単位、及びセクタ単位であり、同時に動作してもよい。しかしながら、当業者は本発明がそのようには限定されないことを認識し、以下の説明を読み添付図面を見て、別の変形、特徴と利点を認識できる。
【実施例１】
【０００９】
図１は例示無線通信網１０の図である。網１０は説明の都合上簡略化した形式で図示してあるが、当業者は網１０は図示していないエンティティも含み、図示エンティティは他の複雑性も実現していることを認識できる。さらに、網１０は１つ以上の例示実施例でｃｄｍａ２０００無線通信網を含んでいるが、本発明はこれに限定されることなく、網１０は広帯域ＣＤＭＡ（ＷＣＤＭＡ）のようなその他の標準を基にしてもよいことを理解すべきである。
【００１０】
上記を念頭において、網１０は移動局１２を、インターネットまたはその他の公衆データ網（ＰＤＮ）及び／または交換電話網（ＰＳＴＮ）のような１つ以上の外部網１４に通信可能に結合する。例示では、簡略化した図で、網１０は、１つ以上のコア網（ＣＮ）１８と通信可能に結合し、さらに外部網１４との通信を提供する、無線アクセス網（ＲＡＮ）１６を含む。ＲＡＮ１６は１つ以上の基地局システム（ＢＳＳ）を含み、各々は基地局制御器（ＢＳＣ）３０と１つ以上の関係無線基地局（ＲＢＳ）３２を含む。当業者は、他のＢＳＳ配置も可能であり、例えばＢＳＣ論理を全てまたは部分的にＲＢＳレベルに移動することも可能であることを認識しており、本発明はこのような変更の全てを包含する。
【００１１】
各ＲＢＳ３２は１つ、２つ、またはそれ以上のセクタに対する無線サービスを提供する−図示ＲＢＳ３２は各々Ｓ１、Ｓ２及びＳ３と記した３つのセクタへのカバレッジを提供する。本明細書で使用する用語「セクタ」は広範囲な構成を与えられ、従って限定された無線カバレッジ範囲を意味するものとして理解すべきである。例示定義では、用語セクタは特定の無線カバレッジ範囲と特定の無線キャリアの交点を表す。従って、図示ＲＢＳ３２は２つ以上の無線キャリアを使用して重ね合せセクタを提供する。いずれの場合でも、前記詳細は本発明を理解するための中心ではなく、当業者は本明細書で以後説明するセクタ単位レート制御は、特定の無線カバレッジ範囲に適用するような共通レート制御を表すものとおおまかには理解すべきであることが認識できる。
【００１２】
図２は、明瞭にするため簡略化機能要素として図示されている、例示ＢＳＣ３０と１つのＲＢＳ３２を含む例示基地局を図示する。ＢＳＣ３０は複数ＲＢＳ３２をサポートするように一般的に構成され、各ＲＢＳ３２は１つ以上の無線セクタをサポートするように構成可能であることを理解すべきである。
【００１３】
いずれにせよ、ＢＳＣ３０は、ＲＢＳ３２によりサポートされている各種の移動局１２で終端し発生する音声及び／またはデータ呼と関係する論理接続の設定、保持、終了の呼制御論理を提供するように構成された制御処理回路３４、例えば１つ以上の信号プロセッサ、マイクロ制御器等を含み、さらにＲＢＳ３２、例えばＥ１／Ｔ１線路用のバックホール・インターフェース回路３６、マイクロ波等に通信可能に結合するインターフェース回路３６を含む。インターフェース回路３６は、移動交換センター（図示せず）と通信するような、ＣＮ１８と通信する多分異なる別のインターフェースを含んでもよい。さらに、ＢＳＣ３０はＣＮ１８とＲＡＮ１６のパケット側間の無線パケット（ＲＰ）インターフェースを提供するパケット制御機能（ＰＣＦ）、または同様のエンティティを含むかまたはこれと関係してもよい。
【００１４】
ＲＢＳ３２は本明細書で集合的に処理回路４０と呼ぶ、順方向／逆方向リンク制御及び信号処理回路を含む。ＲＢＳ３２はさらに送受信器リソース４２と関連する受信／送信アンテナ要素４４と４６と、ＲＢＳ３２とＢＳＣ３０へ通信可能に結合する１つ以上のインターフェース回路４８を含む。例示処理回路４０は１つ以上の信号プロセッサ、例えばＤＳＰ回路、マイクロプロセッサ／マイクロ制御器、等、そして関連するサポート回路を含み、一方送受信器リソース４２は、順方向（送信）及び逆方向（受信）リンクで移動局１２と通信するために使用される物理層チャネルを実装するために使用される変調／復調及びコード／デコード回路を含む。
【００１５】
広範な意味で、基地局システムは逆方向リンク制御の例示方法を実装するよう構成可能であり、特定の無線セクタのその制御下で、これは２つ以上の逆方向リンク・レート制御器を機能的に提供し、各々が他方により発生されるものとは異なる逆方向リンク・レート制御指令を発生可能である。従って、セクタの１つ以上の第１移動局がレート制御器の第１のものにより指令され、一方１つ以上の第２移動局が利用可能なレート制御器の第２のものにより指令される。
【００１６】
例示方法は従って、２つ以上の逆方向リンク・レート制御器を提供し、各々のレート制御器は他のレート制御器により発生される指令とは異なる逆方向リンク・レート指令を発生するよう構成され、個々の移動局１２に少なくとも１つのレート制御器を選択的に関係付け、１つ以上のレート制御器を使用して逆方向リンク・レート制御指令を発生し、その指令を関係する移動局１２に送信する段階を含む。
【００１７】
これに関連して、２つ以上のレート制御器を提供する段階は、基地局システムに含まれる無線基地局の各無線セクタに２つ以上のレート制御器を実装する制御論理を提供する段階を含む。前記実装はＲＢＳ３２に媒体アクセス制御（ＭＡＣ）論理を提供する段階を含み、ここでＭＡＣ論理は無線基地局の各無線セクタで２つ以上のレート制御器を実装するよう機能的に構成されている。しかしながら、このような機能はＲＢＳ３２以外でも実装可能であり、例えば、他のネットワーク処理層またはＲＢＳ３２の副層、またはＢＳＣ３０に基地局制御論理を設けることにより、実装可能であり、基地局制御論理はＲＢＳ３２の各無線セクタに２つ以上のレート制御器を実装するよう機能的に構成されている。
【００１８】
さらに、用語「論理」は所要の処理と制御操作を実行するよう構成された機能処理構造を意味する。従って、本明細書で使用する論理は、1つ以上の限定された操作を実行するよう構成されたハードウェア、ソフトウェア、またはその任意の組み合わせを表す。このように、当業者は、本明細書で以後詳細に記載する基地局制御論理とＭＡＣ論理は基本的にハードウェアとソフトウェアの任意の混合物を含み、それ自体、マイクロプロセッサ、等のような各種の処理回路で実装される。
【００１９】
それでも、少なくとも1つのレート制御器を個々の移動局１２に選択的に関係付ける段階は、個々の移動局の1つ以上のサービス要求を基に呼認可（call admission）時に個々の移動局に対するレート制御器関係付けを決定する段階を含み、さらに個々の移動局の変化するサービス要求を基に呼認可後に個々の移動局１２のレート制御器関係付けを動的に変更する段階を含む。レート制御器への個々の移動局１２のこのような動的再割当てはまた、個々の移動局１２のサービス要求の変更に応答して呼認可後に個々の移動局１２のレート制御器関係付けを動的に変更することにより逆方向リンク輻輳を制御するためにも使用可能である。
【００２０】
さらに、少なくとも1つのレート制御器を個々の移動局１２に選択的に関係付ける段階は、移動局の逆方向リンク・レート制御が基本及び補助レート制御器により送信された制御指令の所要の組み合わせ関係を基に実行されるように、少なくとも1つの移動局にレート制御器の第1のものを関係付けて、移動局の基本レート制御器として動作させ、レート制御器の第２のものを移動局の補助レート制御器として動作させる段階を含む。1次及び２次レート制御器を割当てる段階を含む、このような基本及び補助レート制御は、本説明中で以下に詳細に説明される。
【００２１】
複数レート制御器を提供する例示の変形も本明細書の以下で詳細に記載されるが、広くは、２つ以上の逆方向リンク・レート制御器を提供する例示実施例は、基地局システムの特定の無線セクタに対して、セクタ単位で共通レート制御指令を提供するよう構成されたセクタ単位レート制御器と、群単位で共通レート制御指令を提供するよう構成された群単位レート制御器と、ユーザー単位で専用レート制御指令を提供するよう構成されたユーザー単位レート制御器と、特定のユーザーまたはユーザーの群にスケジュールされた逆方向リンク・レート制御指令を発生するよう構成されたスケジュール・レート制御器と、を含む群から選択された少なくとも２つのレート制御器を提供する段階を含む。
【００２２】
さらに詳細には、例示のセクタ単位レート制御器がＲＢＳ３２の特定セクタの移動局１２による一般的使用のレート制御指令を発生する。もちろん、セクタ単位レート制御器と関係していない個々の移動局１２はその指令を無視するまたはこれを知らなくともよい。共通レート制御指令は測定したまたは評価した逆方向リンク・ローディングを基に発生可能であり、セクタ・ローディングのレベルを指示する、またはそれとも「ＵＰ」、「ＤＯＷＮ」、または「ＨＯＬＤ」のような個別の指令指示のなんらかの形式を提供する逆方向活動ビット（ＲＡＢ）として形成可能である。同様に、本明細書で使用するように、用語、群単位レート制御器は、例示実施例で、移動局１２の限定された群に意図した共通レート制御指令を発生するレート制御器を記している。従って、異なる移動局群に対して異なるレート制御指令を各々発生する、２つ以上の群単位レート制御器が、当該セクタで能動であってもよい。
【００２３】
さらに、本明細書で使用するように、用語ユーザー単位レート制御器は、例示実施例では、制御器と関係する各ユーザー（移動局１２）に個別の指令指示（例えば、ＵＰ、ＤＯＷＮ、ＨＯＬＤ）の形式が望ましい、個別ユーザー用の専用レート制御指令を発生するレート制御器を表す。本明細書で使用する用語スケジュール・レート制御器は、例示実施例では、ユーザー単位のレート制御指令も発生するレート制御器であるが、スケジュール制御器により発生された指令は、ユーザー単位専用レート制御で実行されるような増分調節を指令するものではなく、個別の移動局１２に特定の逆方向リンク・レートを特定の時間に実行するよう指令する点で、「絶対」レート制御指令であることが望ましい。もちろん、この定義フレームワークも変更を受けることを理解すべきであり、当業者は異なる型式のレート制御は異なって構成可能であり、またはその正確な制御挙動に関しては差異を有していることを認める。
【００２４】
上記を念頭に置き、例示ＲＢＳ３２はオープンシステム相互接続（ＯＳＩ）標準７層ネットワーク参照モデルの層１と２に対応する機能を実装する。特に、ＲＢＳ３２は、対空インターフェースを通して移動局１２と通信するために使用される通信チャネルを定義する、物理層（層１）を設けるために送受信器リソース４２を使用する。ＲＢＳ３２はさらにＭＡＣ副層とリンクアクセス制御（ＬＡＣ）副層の形式でデータ層（層２）を設ける。高位層、すなわち層３とそれ以上はＢＳＣレベルまたはこれ以上に位置する。
【００２５】
非限定的な例として、図３はこれらのネットワーク層の1実施例を図示するが、本発明から逸脱することなく層と副層の異なる配置を使用可能であることを理解すべきである。広範囲な概観として、ＢＳＣ３０で通常実装される、層３は、個々の移動局１２への接続を制御する信号化を提供し、一方層２は高位層により使用される「論理」チャネルと層１により実装される物理層との間のインターフェースを提供する。特に、層２のＭＡＣ副層は層1トランスポート・チャネルへの論理チャネルのスケジュールとマッピングを実行する。共通トランスポート・チャネル−すなわち1つ以上の移動局１２により共有されるチャネル−に対しては、ＭＡＣ副層は異なる移動局１２への異なるデータ流れを識別するためにアドレス情報を追加してもよい。
【００２６】
さらに詳細には、ｃｄｍａ２０００実装でのＭＡＣ論理は、無線リンク・プロトコル（ＲＬＰ）を介した対空インターフェースを通したベスト・エフォート引渡しに対して、かつチャネル多重化とＱｏＳ制御サービスを含む、上述のスケジュールとマッピングに対して、パケットデータと音声サービスによる物理層チャネルのアクセスを管理するための「制御状態」処理を提供する。ＭＡＣ論理操作のこれらの特徴は当該技術において公知であり、本発明の理解はこれ以上の詳細を必要としない。さらに、ＭＡＣ論理はネットワーク型式に依存して変更される、例えば、ｃｄｍａ２０００、ＷＣＤＭＡ等で変更されてもよい。
【００２７】
しかしながら、本発明による例示ＭＡＣ論理は、ＲＢＳ３２によりサポートされている移動局１２へ逆方向リンク・データレート制御指令を提供する２つ以上のいわゆる「レート制御器」を含む。逆方向リンク・レート制御は一般的に当該技術で知られているが、従来のレート制御は、移動局１２の逆方向リンク・レートを制御するために使用される、１つの制御機構のみ、すなわち特定の時間に１つのレート制御アルゴリズムのみを提供する。逆方向リンク・レート制御は基地局システム（ＲＢＳ３２とＢＳＣ３０）に基地局ローディングを制御する機構を設け、例えば逆方向リンク・レートは基地局ローディングを減少させるために減少可能であり、基地局ローディングを増加するために増加可能である。基地局ローディング測定に関する例示の詳細は「ＣＤＭＡ網の逆方向リンク・チャネルのターゲット・ロードを動的に調節する方法（METHOD FOR DYNAMICALLY ADJUSTING A TARGET LOAD FOR REVERSE LINK CHANNEL IN A CDMA NETWORK）」という名称の共願かつ共通に譲渡された米国特願に存在している。引用により本明細書に全体を含まれるこの特願は２００３年１１月１１日に提出され、代理人文書第４７４０−２４３号により識別される。
【００２８】
本発明の１つ以上の例示実施例によると、一般化ＭＡＣアーキテクチャは異なるレート制御器を含み、各々が他のレート制御器により発生されているレート制御指令と異なることが可能な、関係する移動局１２へのレート制御指令を発生する。非限定的な例として、図４は本発明の１実施例による例示ＭＡＣ論理５０を図示し、ここでＭＡＣ論理５０は３つのレート制御器５２−１から５２−３（ＲＣ１、ＲＣ２及びＲＣ３と記す）を含む。ＭＡＣ論理５０は別の制御論理５４を含む、またはこれと関係し、この制御論理はＲＢＳ３２または望ましくはＢＳＣ３０に位置して、移動局１２の特定のものを１つ以上のレート制御器５２に関係付ける割当てと選択制御を提供する。５２−１から５２−３はＲＢＳ３２の特定のセクタで利用可能なレート制御器を表し、ＲＢＳ３２の他のセクタはその中で利用可能な２つ以上のレート制御器を有し、あるセクタのレート制御器は他のセクタと数または構成が同じでなければならないことはないことを理解すべきである。さらに、１つ以上の利用可能なレート制御器が２つ以上のセクタを超えて動作するよう構成してもよいことを理解すべきである。
【００２９】
この点で、レート制御器５２を実装する処理論理をＭＡＣ論理５０、制御論理５４、または基地局システム網アーキテクチャのどこかに設けることが可能であることに注意すべきである。例えば、制御論理５４のいくつかまたは全てをＢＳＣ３０に実装し、レート制御器５２を当該論理の一部として、またはＢＳＣ３０の他の処理論理内に実装することも可能である。従って、レート制御を、例えば層３に実装することも可能である。このようなＢＳＣ実装は、これもＢＳＣ３０に実装されてもよい進行中の呼者認可と輻輳制御論理と共にレート制御器割当てと再割当てを統合化する観点から特に有効である。ＲＢＳ３２とＢＳＣ３０の間の信号化オーバーヘッドが問題でない場合にはＢＳＣベースのレート制御も特に有用である。
【００３０】
それゆえ、説明の都合上、当業者は、ＭＡＣ論理５０へのレート制御器５２の実装が例示であり、非限定的な実施例であり、基地局システム内のどこかへのレート制御器５２の実装、例えばＲＢＳ３２内の異なるネットワーク層、またはＢＳＣ３０の論理処理内への実装も本発明で考慮されていることを理解すべきである。さらに、発生されたレート制御指令が対応する無線セクタの移動局１２により使用されるように、レート制御器５２の例示の「組」が１つ以上のＲＢＳ無線セクタの各々に実装可能であることを理解すべきである。しかしながら、記載したように、１つ以上のレート制御器５２がＲＢＳ３２の２つ以上のセクタの移動局１２にレート制御指令を発生するよう構成可能である。
【００３１】
図示実施例に戻ると、ＭＡＣ論理５０は、割当てられた１つ以上の移動局１２の各々にユーザー単位のレート制御指令を発生するユーザー単位専用レート制御器として構成されたＲＣ１を含む。ＲＣ２は、セクタ単位ベースで、例えばＲＡＢで共通レート制御指令を発生するセクタ単位共通レート制御器として構成される。これらの共通レート制御指令はＲＢＳセクタの計測したまたは評価ローディングを基に発生されることが望ましい。このような指令（セクタ単位であれまたは群単位であれ）はＲＢＳ３２で定義された１つ以上の逆方向リンク・ローディング閾値により限界を定めた複数個のローディング区域の内の１つを指示する複数ビット値として発生されてもよい。ＲＣ３はセクタ中の移動局１２の限定されたサブセットに対して共通レート制御指令を発生する群単位レート制御器として構成される。実際の実装では、移動局１２の複数個の群またはサブセットがあり、実質的には各このようなサブセットに対して異なる群レート制御器がある。例えば、異なるユーザー・クラス、例えば金、銀、ブロンズ・クラスで、各クラスは実質的にそれ自身の群単位レート制御器を有し、高位ユーザー・クラスは高位の群データレートを通常与えられ及び／または輻輳時に好意的な扱いを受ける。
【００３２】
さらに例を続行すると、網１０は、ＢＳＣ３０及び／又はＲＢＳ３２によりシステム事業者が事業者の特定の要求または要望に応じてレート制御器割当て論理を適合させることが可能であるように構成可能である。従って、ユーザー・クラスがなくＱｏＳ区別がない場合（すわなち、ベストエフォートのユーザーの単一クラス）、移動局１２はセクタ単位共通レート制御を与えるように構成されたレート制御器５２にデフォールトにより割当てられる。複数ユーザー・クラスがありＱｏＳ区別がない場合、割当て論理は群単位共通レート制御を使用するよう構成可能であり、これは異なる群単位レート制御指令を発生し送信することにより、または群割当てに応じて同じ指令に異なって応答するよう異なる移動局１２を構成することにより、達成可能である。この意味で、異なる移動局がその共通レート制御指令に異なって応答するよう構成可能であるため、１つの群単位レート制御器５２が複数の群レート制御器として有効に機能可能である。
【００３３】
ベストエフォート及び／またはジッタ及びスループット用ＱｏＳでは、移動局１２は共通レート制御、専用レート制御、またはその何らかの組合せに選択的に割当ててもよい。この関連のさらなるユーザー・クラスは群単位指令を使用することにより収容できる。ユーザー・クラスがないがベストエフォート／ＱｏＳ考慮では、基地局システムは、群単位共通レート制御と移動機単位専用レート制御の混合体を使用するよう構成可能である。同じ状況であるが、複数ユーザー・クラスが有る場合、基地局システムは、群単位共通レート制御、移動機単位専用レート制御、スケジュール、及びオプションとして、電力ブースト／デブーストの混合体を使用するよう構成可能である。最後に、基地局システムは、スケジュール・レート制御を基にＱｏＳ制約のみに関して移動局１２を管理するよう構成可能である。
【００３４】
フレーム誤り保証は上記レート制御方法変更のどれに含めることも可能である。例えば、低いフレーム誤りレート（ＦＥＲ）を得るために移動局１２に指令してその第１送信フレームの送信電力を増大する、電力ブーストを使用可能である。
【００３５】
本記述のどこかに記載したように、例示基地局システムで実装された特定のレート制御器５２への移動局１２の割当と再割当ては、認可制御（Admission Control）及び／または輻輳制御の論理処理と密接にリンク可能である。例えば、群単位共通レート制御を実行している場合に、対応するＲＡＢの発生に使用するような逆方向リンク・ローディングを監視することにより輻輳が検出可能である。輻輳を検出すると、基地局システム−例えば処理論理５４またはその他のプロセッサ・リソース−は最低のユーザー・クラスを最初に（ユーザー・クラスが定義されている場合）ベストエフォートのユーザーを切断し、及び／またはスループット中心のユーザー、例えばＱｏＳ制約ユーザーのスループット保証を低下するよう構成可能である。さらに、例示の輻輳検出は、クラスにより、リソースの必要性等によりユーザーをブロックする認可制御プロセスをトリガ可能である。ユーザー単位レート制御のみを使用している場合、例えば増分ｕｐ／ｄｏｗｎ／ｈｏｌｄ指令がユーザー単位で送信されるユーザー単位専用レート制御とそのユーザー単位指令のレートによるスケジュール・レート制御の混合体の場合、スケジュール・レート制御器は本質的に輻輳制御を実施するために使用可能である、何故ならこれはスケジュールされるユーザーに割当てたリソースの完全な制御を有しているからである。前記制御も認可制御と結びついて、またはこれをトリガするよう構成可能である。
【００３６】
いずれの場合でも、図示の構成では、ＭＡＣ論理５０は、各々が異なる、この場合では、異なる型式の逆方向リンク・レート制御指令を発生する、３つの逆方向リンク・レート制御器を備える。従って、移動局ＭＳ１−ＭＳ３はＲＣ１により発生された専用レート制御指令に従ってユーザー単位ベースで指令され、一方移動局ＭＳ６−ＭＳ８はＲＣ３により発生された群レート制御指令に従って群ベースで指令される。残りの移動局、ＭＳ４とＭＳ５はＲＣ２により発生される共通のセクタ単位レート制御指令に従って指令される。
【００３７】
もちろん、図４はＭＡＣ論理５０で複数の逆方向リンク・レート制御を提供する１つの可能性のみを図示していることを認識すべきである。図５はより複雑な混合のレート制御実装を図示し、ここでＲＢＳ３２のＭＡＣ論理５０はＲＢＳ３２の特定のセクタで移動局１２へ複数個の異なる型式のレート制御指令を与えるよう構成される。第１に、ＲＢＳ３２はセクタ単位ベースで共通レート制御指令を発生する。これらの共通レート制御指令は、移動局１２がそれ以外他のＭＡＣレート制御器５２に割当てられていない限り、一般的にセクタ中の任意の移動局１２で使用される。
【００３８】
さらに、ＲＢＳ３２は、群１、２及び３として記した、移動局１２の３つの異なる群の各々に群固有の共通レート制御指令を発生する。ＲＢＳ３２はまた群４と記した移動局１２の別の群にも「スケジュールされた」逆方向リンク・レート制御指令を発生する。スケジュールされたレートにより、ＲＢＳ３２は群４の個々の移動局１２に指令して、特定のサービス期間の間特定の逆方向リンク・データレートで動作し、従って移動局１２のスケジュールされた群に対して、例えば比例公正サービス、最大スループット・サービス等の１つ以上のサービス目的を実行するためにどのユーザーがどのレートで送信しているかをスケジュール可能である。従って、ＭＡＣ論理の２つ以上のレート制御器５２の一方は、割当てられた移動局１２の群に逆方向リンク・レート・スケジュールを提供するスケジュール・レート制御器として構成可能である。「ＣＤＭＡ網用の逆方向リンク・スケジューラ（REVERSE LINK SCHEDULER FOR CDMA NETWORKS）」という名称の共通に譲渡された共願の米国特願は逆方向リンク・スケジューリングの１つ以上の方法の詳細を含む。引用により本明細書に全体が含まれる当該特願は２００３年１１月１４日提出で、代理人文書番号第４７４０−２２８号により識別される。
【００３９】
ＲＣ１により発生される専用レート制御指令に関しては、前記指令は増分調節指令、例えば、１レート上げる、１レート下げる、または現在のレートを保持、として発生されてもよい。例示のｃｄｍａ２０００実施例では、ＲＣ１は各逆方向リンク・フレーム毎でまたはその他の適切な頻繁な間隔でＭＳ１、ＭＳ２及びＭＳ３の新たなレート制御指令を発生する。ＲＣ１により発生されたレート制御指令は、基地局ローディング及び／またはサービスのＱｏＳ要求のような他の基準を基にしており、ＲＣ１は他のレート制御器ＲＣ２とＲＣ３との間で情報を送受信していて、少なくとも部分的にその動作を基にそのレート制御指令を調節してもよい。
【００４０】
ＭＡＣ論理５０により実装されるユーザー単位専用レート制御の１つの方法に関する例示の詳細を、「ＣＤＭＡ網での逆方向リンクのユーザー単位レート制御（PER USER RATE CONTROL FOR THE REVERSE LINK IN CDMA NETWORKS）」という名称の共願の共通に譲渡された米国特願に記載してある。引用によりその全体が本明細書に含まれる当該特願は２００３年１２月１０日に提出され、代理人管理番号第４７４０−２３１号により識別される。
【００４１】
さらに、ＭＡＣ論理５０は、少なくとも部分的にユーザーから、すなわち移動端末１２からのフィードバックを基に、専用のユーザー単位レート制御指令と、その他の型式のレート制御指令を発生してもよい。例えば、1つ以上の移動局１２は、逆方向リンク・レートの増大を希望しているかどうか、及び／またはそのように指令された場合に逆方向リンク・レートを増大可能であるかどうかを指示するフィードバックを与えてもよい。このようなフィードバックの1つの型式の例は、「減少した信号化電力ヘッドルーム・フィードバック（REDUCED SIGNALING POWER HEADROOM FEEDBACK）」という名称の共願でかつ共通に譲渡された米国特願に現れている。引用によりその全体が本明細書に含まれる当該特願は２００３年１２月１６日に提出され、代理人管理番号第４７４０−２３５号により識別される。
【００４２】
他のレート制御器５２に割当てられていない、すなわち群の１つではなくかつ専用レート制御に割当てられていない、セクタ中の任意の移動局１２は、ＲＢＳ３２により発生されるセクタ単位共通レート制御指令に応答してもよい。実際に、1つ以上の移動局１２は複数の異なる型式のレート制御指令に応答するよう構成されてもよい。例えば、特定の移動局１２は専用レート制御指令と共通レート制御指令の両方に応答するよう構成されてもよい。例えば、移動局１２は、共通レート制御指令により指示されるセクタ・ローディングを基にして入来する専用レート制御指令への応答を調整する、または調律してもよい。
【００４３】
逆に、移動局１２は、セクタ単位共通レート制御指令がその1次逆方向リンク・レート制御指令としての役割を果たすが、これはまたそのサービス・セクタの専用レート制御指令に応答するように、構成してもよい。他の例では、移動局１２のソフト・ハンドオフ（ＳＨＯ）時に、1つ以上の近傍セクタのセクタ単位共通レート制御指令を聴取しつつ、そのサービス・セクタからのユーザー単位専用レート制御指令を聴取してもよい。従って、移動局１２は、近傍のセクタへ送信されている共通レート制御指令の状態を基に、そのサービス・セクタからの入来専用レート制御指令へのその応答を無視するまたは調節してもよい。例示の移動局１２は、ソフト・ハンドオフで他のセクタに導入する干渉を制限／制御するための機能として上記の逆方向リンク・レート制御挙動を実行するように構成可能である。
【００４４】
ＭＡＣ論理５０は、「基本」レート制御チャネル上で移動局１２にレート制御指令を与えるよう、かつ「補助」レート制御チャネル上で補助レート制御指令を与えるよう構成してもよい。1実施例によると、補助レート制御指令は基本レート制御指令を置き換える。従って、ＭＡＣ論理５０は、補助レート制御チャネル指令として移動局１２へ他のレート制御器５２により発生されたレート制御指令を送信することにより、あるレート制御器５２により送信されているレート制御指令に優先可能である。このような操作は、例えば、安定なＳＨＯ操作を保証する、及び移動局１２がＳＨＯに居る時に単一の（サービス）セクタによる制御に、有用である。基本及び補助レート制御の例示の混合体は以下の表１に現れる。
2006515736.tif 000003
もちろん、本発明は上述した優先方式以外に他の基本／補助指令挙動を考慮している。考慮した挙動は、以下には限定されないが、補助指令を使用して移動局の応答を基本指令に調停する、補助（２次）指令が矛盾または特殊条件を指示していない限り基本（１次）指令に応答する、１次及び２次指令の重み付け平均を使用して移動局で「ネットの」逆方向リンク・レート指令を決定する、等を含む。
【００４５】
ＭＡＣ論理５０による基本的に任意の組合せで提供されるユーザー単位、群単位、セクタ単位、及びスケジュールされたレート制御に加えて、これはまた自主的な移動局動作も可能とし、移動局１２は自主的動作の変化する程度を有するよう構成可能である。自主的動作では、特定の移動局１２は最大許容自主レート、例えば、０ｋｂｐｓ、９．６ｋｂｐｓ、１９．２ｋｂｐｓ、等までの任意のレートで逆方向リンク上で送信可能である。自主動作では、移動局１２は、ユーザー単位制御指令に従っている場合はＲＢＳ３２になんらフィードバックを与える必要はない。移動局１２がセクタ単位または群単位指令に従っている場合、セクタまたは群指令が前記転送が許容されていることを指示している時にその自主レート転送を開始してもよい。
【００４６】
最大自主レートは呼設定時に各移動局１２で交渉可能であり、必要に応じて以後変更可能である。同様に、特定の移動局１２が割当てられている特定のレート制御器５２はユーザー認可処理の一部として呼設定時に決定可能である。以前図示した制御論理５４の一部を含んでもよい、前記割当てと選択論理は、特定の移動局１２の必要性を基にしている、例えば移動局１２が実行しているアプリケーションの型式または特性を基にすることが可能であり、この論理はＲＢＳ３２、ＢＳＣ３０、または２者の何らかの組合せで実装可能である。
【００４７】
例えば、ウェブ・ブラウジング・アプリケーションを実行している移動局１２は、これが送信するより多量のデータを通常受信する点で非対称な順方向及び逆方向リンク要求を通常有する。このようなアプリケーションでは、逆方向レートは通常重要ではなく、移動局１２は従って共通レート制御の良好な候補である。その相対的に低い処理及び信号化オーバーヘッドのため、共通レート制御の使用はネットワークの展望からは望ましい。従って、ＲＢＳ３２のＭＡＣ論理５０での２つ以上のレート制御器５２の内の特定のものへの特定の移動局１２の割当ては、移動局１２が実行しているアプリケーションの型式を基に呼設定時に決定してもよい。
【００４８】
さらに、制御論理５４、またはＲＢＳ３２またはＢＳＣ３０の他の処理論理は、変化する移動局の要求を基に動的レート制御器割当てを与えるよう構成可能である。例えば、あるレート制御器５２から他のものへの移動局１２の再割当て、または移動局１２と別のレート制御器５２の新たな関係付けは、移動局１２のアプリケーション要求を変更することによりトリガしてもよい。１例として、特定の移動局１２は、ネットワーク１０への初期認可時にはセクタ単位共通レート制御指令に従うよう指令されるが、以後共通レート制御とは合わない高位ＱｏＳ及び／またはデータレートのアプリケーションの始動に応答して以下の専用レート制御、群レート制御、またはスケジュール・レート制御指令を開始するよう指令されてもよい。
【００４９】
特定の移動機対制御器割当てに係わらず、ＲＢＳ３２は移動局１２へレート制御指令を送信するため１つ以上の例示方法のどれかを使用してもよい。１つの例示実施例では、ＭＡＣ論理５０は１つ以上の他のチャネル上にレート制御指令を多重化する。すなわち、ＭＡＣ論理５０は、他のチャネル上で送られている他の情報と共にレート制御情報を時間多重化することにより１つ以上の他のチャネル上にレート制御「サブチャネル」を定義する。
【００５０】
図６は順方向リンク共通電力制御チャネル（Ｆ−ＣＰＣＣＨ）上にセクタ単位、群単位、及びユーザー単位レート制御指令を多重化したサブチャネルを図示する。ｃｄｍａ２０００システムでは、Ｆ−ＣＰＣＣＨは８００Ｈｚまでの移動局１２への電力制御指令（電力制御ビット、すなわちＰＣＢ）を与え、チャネルは１６の電力制御群（ＰＣＧ）の一連の繰り返しブロックとして配置され、各ＰＣＧは２４までの異なる移動局１２のインデックス位置（スロット）を与える。図６は、移動局ＭＳ１−ＭＳ５とＭＳ９にセクタ単位レート制御指令を送信するために使用されている１つ以上のこれらのスロットと、移動局ＭＳ６−ＭＳ８に群単位レート制御指令を送信するために使用されている１つ以上のこれらのスロットと、移動局ＭＳ６、ＭＳ７、ＭＳ９及びＭＳ１０にユーザー単位レート制御指令を送信するために使用されている１つ以上のこれらのスロットと、を図示する。
【００５１】
１つ以上の図示移動局１２は以前に詳細に説明したように、１つ以上の型式レート制御指令に応答することに注意されたい。例えば、ＭＳ６はユーザー単位レート制御指令を聴取し、かつ移動局１２の限定された群の群単位レート制御指令を聴取する。同様に、ＭＳ７はそれ自身のユーザー単位指令を聴取し、かつＭＳ６と同様の群指令を聴取する。ＭＳ８はこれらの同じ群指令を排他的に聴取する。その間、ＭＳ９は特定のユーザー単位制御指令とセクタ単位レート制御指令の両方を聴取し、ＭＳ１０はそれように意図したユーザー単位レート制御指令のみを聴取する。各移動局１２は、呼設定の一部として、以後動的レート制御変更の一部としてレート制御指令を送るレート制御サブチャネルの適切なインデックス位置を指すことが可能である。レート制御情報を多重化するために他の共通チャネルを使用可能であり、移動局１２にレート制御情報を担持するために使用される最も都合のよいチャネルは異なる型式のネットワークでは異なっているであろうことを理解すべきである。
【００５２】
特定のレート制御多重化の詳細は必要に応じて変更され、利用可能な場合には専用レート制御チャネルを使用可能であることに注意すべきである。実際に、ＲＢＳ３２の１つ以上のセクタで２つ以上の型式の逆方向リンク・レート制御を広範囲に提供する、本発明から逸脱することなく基本的には上記例示詳細の全てを変更してもよい。この点で、例示ＲＢＳ３２は１セクタまたは２つ以上のセクタで動作し得ることに注意すべきで、さらにそのセクタの１つ、いくつか、または全てが混合レート制御を提供可能であり、異なる混合レート制御が同じＲＢＳの異なるセクタで使用可能であることにも注意すべきである。従って、本発明は以上の説明に限定されず、以下の請求の範囲とその妥当な等価物によってのみ限定される。
【図面の簡単な説明】
【００５３】
【図１】本発明の例示実施例の無線通信網の図。
【図２】例示基地局システム詳細の図。
【図３】本発明の１つ以上の実施例による一般化媒体アクセス制御（ＭＡＣ）の例示機能配置図。
【図４】本発明の１つ以上の実施例による複数制御器ＭＡＣを実装する例示ネットワーク層モデルの図。
【図５】本発明の一般化ＭＡＣを使用した例示の混合制御方法の図。
【図６】異なる移動局に混合型式のレート制御指令を送信するための例示サブチャネル多重化方法の図。
【図１】
2006515736.tif 000004
【図２】
2006515736.tif 000005
【図３】
2006515736.tif 000006
【図４】
2006515736.tif 000007
【図５】
2006515736.tif 000008
【図６】
2006515736.tif 000009
【国際調査報告】
2006515736.tif 000010
2006515736.tif 000011
2006515736.tif 000012